(57)【要約】【課題】固定歯６と可動歯７とで魚の口を挟持する魚掴み器１において、操作具９を引き上げ操作して可動歯７を固定歯６から離間させる当初、可動歯先端の上下位置を、固定歯先端の上下位置と略同位置に維持するようにして、可動歯先端を目標として口の挟持ができるようにする。【解決手段】可動歯７の揺動支軸である第二ピン１８を基板４、５に形成の第二案内溝４ｃ、５ｃで案内支持して上下移動できる構成にし、該第二ピン１８を、操作具９を引き上げ操作した場合に移動量Ｙだけ下側に移動するよう連動連結して、可動歯が離間移動したとき生じる上側移動成分を第二ピンの前記下側移動で相殺するようにして位置維持を達成する。【選択図】図６
2008283915.tif 000002
【特許請求の範囲】
【請求項１】
握り部と、
該握り部に基端部が支持される本体と、
本体先端部に基端部が固定される固定歯と、
該固定歯に左右対向する状態で本体先端部に基端部が揺動支軸を介して揺動自在に支持され、該揺動支軸を支点として先端が固定歯先端に当接する位置から左右に離間する位置に揺動可能な可動歯と、
本体に移動操作自在に設けられ、該移動操作をすることで可動歯先端を固定歯先端から左右に離間する方向に移動させるための操作体と、
操作体の操作解除をすることで可動歯を操作体と共に元位置側に復帰させる復帰弾機と、
操作体の操作解除をしたとき、可動歯が離間方向に移動することを規制するロック手段とを備えて構成される魚掴み器において、
前記可動歯の揺動支軸は、基端から先端方向に向けて移動自在になるよう本体に支持され、
かつ該揺動支軸は、操作体を可動歯が固定歯から離間する方向に操作したときの少なくとも操作前半の過程では先端方向に向けて移動するよう操作体に連動連結されていることを特徴とする魚掴み器。
【請求項２】
揺動支軸と操作体とを連動連結するための連結機構はロック手段を経由するものであることを特徴とする請求項１記載の魚掴み器。
【請求項３】
ロック手段は、基端部が本体側に揺動自在に軸支された作動体と、該作動体の先端部に形成の長傾斜孔状のカム孔と、該カム孔に移動自在に係合すべく操作体に設けられる作動軸と、作動体先端部と可動歯基端部とを揺動自在に連結する連結軸とを備えて構成され、作動体は、操作体の操作では揺動支軸がカム孔に対して相対移動することで揺動するが、可動歯を固定歯から離間する方向に揺動したときにはカム孔の孔側面に作動軸が当接して作動体の揺動規制がなされる方向に向けて作動体を揺動させることで可動歯の移動規制をするように構成されていることを特徴とする請求項１または２記載の魚掴み器。
【請求項４】
カム孔は、操作体の可動歯を離間させるための操作の前半では可動歯の離間移動速度を遅くし、後半では速くするため傾斜を異ならしめていることを特徴とする請求項３記載の魚掴み器。
【発明の詳細な説明】
【技術分野】
【０００１】
本発明は、海や川等で釣り上げた魚を掴むための挟持部を備えた魚掴み器の技術分野に属するものである。
【背景技術】
【０００２】
今日、釣り上げた魚を放流するというスポーツフィッシングが盛んになり、このような場合、釣り上げた魚を手で掴んで針を外すと、魚体表面のヌルが手に付くだけでなく、これによって魚体が傷ついたりして魚が弱り、折角放流しても厳しい自然環境の中で生き抜くことが難しいという問題がある。そこで魚の口を挟持して魚を掴む魚掴み器が提唱されている（例えば、特許文献１参照）。ところがこのものは、操作体が弾機に付勢された自然状態で可動歯が開放姿勢となっていて、操作体を弾機に抗して操作することで可動歯が閉じて魚の口を挟持するようにしたものであるため、挟持状態を維持するためには、操作体を弾機に抗して移動させた姿勢にロックするためのロック手段が必要で、ロック手段が何らかの衝撃が働いて不用意に外れた場合、魚が落ちてしまうという問題がある。
これに対し、自然状態で魚の口を挟持する挟持姿勢となり、この挟持姿勢から操作体を弾機に抗して移動させると両可動歯先端が開口する姿勢になり、そして操作体を離すことで前記挟持姿勢に復帰してこの姿勢にロックされるようにしたものが提唱されている（例えば特許文献２参照）。ところがこのものは、両可動歯が開口するものであるため、魚の口を挟もうとしたときに、一方の可動歯先端を魚の顎に当てて挟もうとすると、該当てた可動歯も動くため不安定な状態になって挟みづらく、挟み損ねて魚が外れ易いという問題がある。
そこで、挟持歯の一方を固定歯にし、他方の挟持歯を可動歯にして挟み易くして挟み損ねがないようにしたものを提唱した（特許文献３参照）。
【特許文献１】特開２００２−４５０９８号公報
【特許文献２】ＵＳＰ５１１９５８５号公報
【特許文献３】特許第３７８５４１６号公報
【発明の開示】
【発明が解決しようとする課題】
【０００３】
このものは一方が固定歯になっていて操作体を操作しても動かないため、該固定歯を魚の口に差し込んだ状態で、可動歯を固定歯に当てるよう移動させることになるため、両歯が動くものに比して挟みやすいということでは画期的なものであったが、可動歯が挟持部先端位置に配した不動の一つの支軸を支点として揺動する構成であるため、可動歯先端の固定歯に対する移動軌跡は、移動当初から前記支軸を中心とした円弧軌跡となり、この結果、固定歯を魚の口の中に入れていて固定歯先端がよく見えない状態で、可動歯を移動させて魚の口を挟もうとしたとき、可動歯は操作体側から先端側に移動する移動成分、つまり握り部から離間する方向の成分が加わった移動となるが、操作者はこのとき、見づらい固定歯先端ではなく、口外にある可動歯先端位置を目安に固定歯を口の中に入れることがあり、このようにしたとき、口中の深い肉厚な位置で魚の口を挟むことになる。そしてこの状態で魚が急に暴れたりすると、挟み位置が肉厚なところから口先の肉薄なところにずれることがあり、このずれが瞬間的であって可動歯の追随が間に合わなかったりすると魚が魚掴み器から外れてしまうという惧れがあり、ここに本発明の解決せんとする課題がある。
【課題を解決するための手段】
【０００４】
本発明は、上記の如き実情に鑑みこれらの課題を解決することを目的として創作されたものであって、請求項１の発明は、握り部と、該握り部に基端部が支持される本体と、本体先端部に基端部が固定される固定歯と、該固定歯に左右対向する状態で本体先端部に基端部が揺動支軸を介して揺動自在に支持され、該揺動支軸を支点として先端が固定歯先端に当接する位置から左右に離間する位置に揺動可能な可動歯と、本体に移動操作自在に設けられ、該移動操作をすることで可動歯先端を固定歯先端から左右に離間する方向に移動させるための操作体と、操作体の操作解除をすることで可動歯を操作体と共に元位置側に復帰させる復帰弾機と、操作体の操作解除をしたとき、可動歯が離間方向に移動することを規制するロック手段とを備えて構成される魚掴み器において、前記可動歯の揺動支軸は、基端から先端方向に向けて移動自在になるよう本体に支持され、かつ該揺動支軸は、操作体を可動歯が固定歯から離間する方向に操作したときの少なくとも操作前半の過程では先端方向に向けて移動するよう操作体に連動連結されていることを特徴とする魚掴み器である。
請求項２の発明とすることで、揺動支軸と操作体とを連動連結するための連結機構はロック手段を経由するものであることを特徴とする請求項１記載の魚掴み器である。
請求項３の発明は、ロック手段は、基端部が本体側に揺動自在に軸支された作動体と、該作動体の先端部に形成の長傾斜孔状のカム孔と、該カム孔に移動自在に係合すべく操作体に設けられる作動軸と、作動体先端部と可動歯基端部とを揺動自在に連結する連結軸とを備えて構成され、作動体は、操作体の操作では揺動支軸がカム孔に対して相対移動することで揺動するが、可動歯を固定歯から離間する方向に揺動したときにはカム孔の孔側面に作動軸が当接して作動体の揺動規制がなされる方向に向けて作動体を揺動させることで可動歯の移動規制をするように構成されていることを特徴とする請求項１または２記載の魚掴み器である。
請求項４の発明は、カム孔は、操作体の可動歯を離間させるための操作の前半では可動歯の離間移動速度を遅くし、後半では速くするため傾斜を異ならしめていることを特徴とする請求項３記載の魚掴み器である。
【発明の効果】
【０００５】
請求項１の発明とすることにより、操作部を操作して可動歯先端を固定歯先端から離間させるため可動歯が揺動支軸を支点として左右方向に拡開する状態で揺動する場合に、該揺動支軸が先端方向に移動することになる結果、可動歯先端が握り部側に移動する成分が相殺されることになって可動歯先端は固定歯先端に対応する位置を維持しながら左右方向に離間することになり、このため固定歯先端を魚の口の中に入れていて見えない状態において、魚の口の外にある可動歯先端を目標にして口を挟む位置を決めることができ、目標を誤って深い肉厚な位置で口を挟んでしまうことを回避できる。
請求項２の発明とすることにより、ロック手段を有効に利用して揺動支軸を先端側に移動させるための操作体との連動連結ができることになって部品の兼用化が図れ部品点数の低減に寄与することになる。
請求項３の発明とすることにより、操作体と揺動支軸とを連動連結するロック手段を簡単に構成できることになる。
請求項４の発明とすることにより、離間前半の可動歯先端の動きが遅くゆっくりとなる結果、魚の口を挟むときの可動歯先端位置を目標にすることが容易になって望んだ位置で魚の口を挟むことができる。
【発明を実施するための最良の形態】
【０００６】
次ぎに、本発明の実施の形態について図面に基づいて説明する。図中、１は魚掴み器であって、該魚掴み器１は紡錘状の握り部２と、該握り部２の下端（先端）に設けられた挟持部３とにより構成されているが、握り部２に、前記特許文献３に記載される量り部機構を採用しても実施できることはいうまでもない。因みに、魚掴み器１について、握り部２側が基端側、挟持部３側が先端側となるよう本発明では定義されているが、図面を基準として説明する関係から、便宜上、握り部２側を上、挟持部側を下となるよう方向付けをして説明するが、本発明はこの上下方向の方向付けに限定されないものであることはいうまでもない。
【０００７】
前記挟持部３は、握り部２の下端部に所定の対向間隔を存して上端部が固定される表裏となる第一、第二の基板（本発明の「本体」に相当する。）４、５を用いて構成されるが、該基板４、５のあいだには、後述するように固定歯６、可動歯７、作動体８、操作体９が介装される状態で組み付けられている。
【０００８】
まず、第二基板５の内面には、前記作動体８を組み込むため作動体８の肉厚に相当する分だけ肉薄にした組み込み面部５ａが形成されているが、組み込み面部５ａに上下方向に長い直線状の第一案内溝５ｂが形成されている。そして本実施の形態では第一案内溝５ｂに、Ｕ字形をした補強材１０が組み込まれていて案内溝５ｂの補強をしている。さらにまた、第二基板５の組み込み面部５ａよりも下端側には、上下方向に長い第二案内溝５ｃが形成されているが、該第二案内溝５ｃにもＵ字形をした補強材１１が組み込まれていて案内溝５ｃの補強をしている。また第二基板５には、第二案内溝５ｃの左右方向一側（図面上では左側）に位置して固定歯６を固定するための固定ネジ６ａ、６ｂを挿入するネジ孔５ｄ、５ｅが形成されている。またさらに第二基板５には、第一、第二案内溝５ｂ、５ｃのあいだに位置し、かつ組み込み面部５ａの下部に位置する状態で両基板４、５を固定するための固定ビス１２用のビス孔５ｆが形成されている。さらに第二基板５には、組み込み面部５ａの上部に位置する状態で前記作動体８の上端部に設けた支軸８ａ（ピン孔８ｆに挿入）を挿入するためのピン孔５ｇが形成され、さらに該ピン孔５ｇの左側に位置して組み込み面部５ａから外れた状態で両基板４、５を固定するための固定用ビス１３用のビス孔５ｈ、操作体９をガイドするガイドピン９ａを挿入支持するためのピン孔５ｉ、組み込み面部５ａの上側に位置する状態で指を入れて操作体９を操作するための操作孔５ｊ、第二基板５を握り部２に固定するための固定ビス１４が貫通する貫通孔５ｋが形成されている。
【０００９】
一方、第一基板４には、第二基板５に形成した第一案内溝５ｂ、第二案内溝５ｃ、ビス孔５ｆ、５ｈ、ピン孔５ｉ、操作孔５ｊ、貫通孔５ｋに対応して第一案内溝４ｂ、第二案内溝４ｃ、ビス孔４ｆ、４ｈ、ピン孔４ｉ、操作孔４ｊ、貫通孔４ｋが形成されているが、第一基板４では操作孔４ｊとビス孔４ｈとが上下方向に連通しており、さらに後述するように操作体９を復帰するための復帰弾機１５の一部を収容するための収容溝４ｌが第一案内溝４ｂよりも浅い状態で形成されている。
【００１０】
前記操作体９は、指を入れて引き上げ操作するための操作孔９ｂが形成されるが、該操作孔９ｂの下端部から続く状態で前記固定ビス１３が貫通する上下方向を向いて長い貫通長孔９ｃが形成され、該貫通長孔９ｃの下端部には前記復帰弾機１５の下端部を支持するための支持部９ｄが形成されている。そして復帰弾機１５の上端部は、前記固定ビス１３に係止されており、斯かる状態で復帰弾機１５は、収容溝４ｌおよび貫通長孔９ｃによって形成されるスペースに配されている。そして操作体９は、操作をしていない状態では、操作孔９ｂの上端部は基板４、５に形成した操作孔４ｊ、５ｊに対して上下方向中間位置に位置し、この状態で操作孔９ｂに指を通して引き上げ操作して操作姿勢にした場合に、復帰弾機１５を縮小して蓄勢する操作となり、そしてこの引き上げを止めると、操作体９は復帰弾機１５の蓄勢力によって引き上げ操作していない非操作姿勢に復帰移動するようになっている。尚、操作体９には、前記作動体８の支軸８ａが貫通して上下移動のガイドするためのガイド孔９ｅが上下方向に向けて形成されている。さらに操作体９の下端部には、後述するように作動体８を揺動変姿させるための作動軸１６を支持するピン孔９ｆが形成されているが、該作動軸１６は、前記第一案内溝４ｂ、５ｂに上下方向移動自在に支持されている。
【００１１】
一方、前記作動体８は、前述したように取り付け面部５ａに組み込まれ、上端部に形成の揺動支軸８ａを支点として左右方向揺動自在になっている。また作動体８の下端部には可動歯７の上端部に形成の第一ピン孔７ａに支持される第一ピン１７を挿入するためのピン孔８ｂが形成されると共に、ピン孔８ｂの上側に位置する状態で前記作動軸１６が移動自在に貫通するカム孔８ｃが形成されている。このカム孔８ｃは、上下方向を向く長孔であって上側に至るほど右側に傾斜（偏倚）するものであるが、右側への傾斜が小さい下側カム部８ｄと右側への傾斜が大きい上側カム部８ｅとによって形成されている。
さらに可動歯７には、前記第一ピン孔７ａよりも下側でかつ固定歯６側に位置する状態で第二ピン孔７ｂが形成され、該第二ピン孔７ｂを貫通する第二ピン１８は、前述した第二案内溝４ｃ、５ｃに上下方向移動自在に支持されている。
【００１２】
そして魚掴み器１は、前記非操作姿勢では、作動軸１６はカム孔８ｃの下端部に位置し、かつ第一案内溝４ｂ、５ｂの下端部に位置しているが、この非操作姿勢では、支軸８ａはガイド孔９ｅの上端部に位置し、第一ピン（本発明の「連結軸」に相当する。）１７は支軸８ａのガイド孔９ｅの孔長方向の軸心線Ｘに対して左右方向一側（本実施の形態では左側）に偏倚した位置に位置し、第二ピン（本発明の「揺動支軸」に相当する。）１８は第二案内溝４ｃ、５ｃの上端部に位置し、かつ前記軸心線Ｘの左右方向他側（右側）に位置している。この非操作姿勢から操作体９を引き上げ操作することになるが、作動軸１６が下側カム部８ｄの下端から上端までの範囲の引き上げ操作（操作前半の過程）では、第一ピン１７は前記軸心線Ｘに近づく方向の移動、つまり第二ピン１８に近づこうとする移動となり、これによって、第二ピン１８は、第二案内溝４ｃ、５ｃに案内されて下側に移動する状態で可動歯７を開き揺動させて先端が固定歯先端から離間する方向に拡開移動することになる。この結果、可動歯７は、第二ピン１８を支点として左右方向外方に拡開揺動することになるが、握り部２側、つまり上側に向けての移動成分は、第二ピン１８が下側に移動した移動量Ｙの分だけ相殺されることになって、可動歯先端の上下位置が固定歯６の先端の上下位置と略同位置を維持する状態で開いていくように設定されている。
【００１３】
そしてさらに操作体９を引き上げ操作すると、作動軸１６が上側カム部８ｅの下端から上端に相対移動する（操作後半の過程）ことになるが、このときの移動も、本実施の形態では第二ピン１８を僅かではあるが下動させる移動となり、その移動分、可動歯７の先端の上側に向けての移動成分を相殺することに寄与する設定になっている。因みに本発明は、魚の口を挟む場合、歯同士の先端間の間隔を全開位置するまで広く開ける必要はなく、操作前半の過程までの開きで充分であり、この結果、可動歯７の先端が上側に移動する成分を相殺して該先端が固定歯先端位置と略同上下位置を維持する範囲を、引き上げ操作の操作前半の過程、つまり引き上げ操作を開始してから中間の過程までで充分である本実施の形態においては、後半の操作過程では前記維持する動きをさせる必要は必ずしもない。また、本実施の形態では、カム孔８ｃの左右方向の偏倚量について、操作前半の過程でカム作用する下側カム部８ｄが操作後半の過程でカム作用する上側カム部８ｅに対して小さくなっている結果、可動歯７の拡開移動について操作前半の過程では遅くゆっくりとし、後半の過程では速いものになるが、特に魚の口を挟むに必要な可動歯７の拡開は操作前半の過程でよく、この前半の操作過程の可動歯７をゆっくりとした動きにして口の挟み位置の目標を取りやすくなるよう配慮されている。
【００１４】
つまり、可動歯７の動きを図９を用いて説明すると、可動歯７は剛体であるから、可動歯の先端Ａ、第一ピン１７の中心Ｂ、そして第二ピン１８の中心Ｃを結ぶ三角形は一体に移動する。この場合に操作体９を引き操作すると、第一ピン１７の中心Ｂは、作動体の支軸８ａの中心Ｄが描く円弧Ｅ上を前記軸心線Ｘ方向に移動することになる。そうすると、図９において第二ピン１８の中心Ｃは反時計回りに回転しながら軸心線Ｘに沿って下方に移動する。この結果、可動歯７の先端Ａは、固定歯６の先端から離間する拡開方向の揺動をしながら下方に移動していくことになって拡開揺動することに伴って発生する可動歯先端Ａの上方向の移動成分が第二ピン１８の下方向の移動によって相殺され、可動歯先端Ａは、上下位置を固定歯先端位置と略同じ位置に位置する軌跡Ｚを描く状態で拡開していく設定になっている。
【００１５】
叙述のごとく構成された本発明の実施の形態において、操作体９から指を離した操作解除状態において可動歯７を無理に開こうとした場合、その負荷は、作動軸１６について、該作動軸１６の移動案内をする第二案内溝４ｃ、５ｃから外れる方向の負荷となるため作動軸１６は動くことがなく、この結果、作動体８も不動になって可動歯７の開く方向の移動は規制されることになる。このため、操作体９から指を離した状態において固定歯６と可動歯７とで魚の口を挟んでいる状態では可動歯７は拡開移動することがなく、魚の口を挟み続けることができる。
【００１６】
このようなものにおいて、操作体９に指を入れて引き上げ操作した場合に、その少なくとも前半過程の操作においては、可動歯７の揺動支軸となる第二ピン１８が第二案内溝４ｃ、５ｃに案内されて下方の先端側に移動することになって、該第二ピン１８を揺動支軸として揺動する可動歯７先端の上側移動成分を相殺し、この結果、可動歯先端は、固定歯先端の上下位置と略同位置に位置することを維持しながら固定歯先端から左右方向外方に向けて離間していくことになる。この結果、魚の口を挟もうとする場合において、固定歯６を口の中に入れて先端が見えない状態になったとしても、前記固定歯先端と略同位置に位置する可動歯先端を目標として固定歯を口の中へ入れた状態で指を離して可動歯７を挟持（閉鎖）方向に移動して口を挟めば、目標位置を維持したままの挟持ができることになって、従来の不動の支軸を支点として揺動するもののように、上側に移動した可動歯先端を目標として挟んだ場合のように挟み位置の目標がずれて口奥の肉厚部分を挟んでしまうようなことがない。つまりこの可動歯７の先端位置を目安にして固定歯６を魚の口に入れ、操作体９から指を離すと、操作体９、作動体１６、そして可動歯７は復帰弾機１５の蓄勢力を受けて元状態に復帰することになり、該復帰移動する可動歯７と口中にある固定歯６とで魚の口の丁度良い位置あたりを確りと挟むことになる。
【００１７】
しかもこのものでは、第二ピン１８を、操作体９の引き上げ操作に連動して下側に移動させる構成が、ロック手段を構成する作動体８を介して行うようになっているため、魚の口を挟んだ状態で可動歯７が開き移動して外れてしまうことを規制して該開き移動をすることがないようにするためのロック手段構成部材が操作体９と第二ピン１８とを連動連結する部材として有効に利用され、この結果、部品の兼用化と共に部品点数の低減が図れ、軽量化と共に構造の簡略化を達成できる。
【図面の簡単な説明】
【００１８】
【図１】非操作状態を示す魚掴み器の全体正面図である。
【図２】操作前半状態を示す魚掴み器の全体正面図である。
【図３】操作後半状態を示す魚掴み器の全体正面図である。
【図４】魚掴み器の分解斜視図である。
【図５】第一基板を外した非操作状態を示す挟持部の正面図である。
【図６】第一基板を外した操作前半状態を示す挟持部の正面図である。
【図７】第一基板を外した操作後半状態を示す挟持部の正面図である。
【図８】第一、第二基板、固定歯、可動歯、作動体、操作体の正面図である。
【図９】可動歯先端が描く軌跡を説明する要部説明図である。
【符号の説明】
【００１９】
１    魚掴み器
２    握り部
３    挟持部
４    第一基板（本体）
５    第二基板（本体）
６    固定歯
７    可動歯
８    作動体
８ａ  揺動支軸
８ｃ  カム孔
９    操作体
１６    作動軸
１７    第一ピン（連結軸）
１８    第二ピン（揺動支軸）
【図１】
2008283915.tif 000003
【図２】
2008283915.tif 000004
【図３】
2008283915.tif 000005
【図４】
2008283915.tif 000006
【図５】
2008283915.tif 000007
【図６】
2008283915.tif 000008
【図７】
2008283915.tif 000009
【図８】
2008283915.tif 000010
【図９】
2008283915.tif 000011